(57)【要約】【課題】表面処理フィルムの特性を評価するための評価データを作成する評価データ作成装置、評価データ作成プログラム、評価データ作成システム及び評価データ作成方法を提供する。【解決手段】一実施形態に係る評価データ作成装置２０は、支持体１１に貼付された第１の光学フィルム３１の表面に現れる所定画像の第１の映込み画像に対応する第１の画像データをフーリエ変換して第１のスペクトル分布を算出するフーリエ変換部２１Ｂと、参照用の第２のスペクトル分布と、第１のスペクトル分布との比を演算することによって、第２のスペクトル分布に対する相対スペクトル分布を作成する相対スペクトル算出部２１Ｃと、相対スペクトル分布に含まれる同じ空間周波数に対する複数のスペクトルの平均値を算出して評価データを作成する評価データ作成部２１Ｄと、を有する。【選択図】図１
2015049195.tif 000002
【特許請求の範囲】
【請求項１】
画像表示装置の画面に貼付される光学フィルムを評価する評価データを作成する評価データ作成装置であって、
支持体に貼付された第１の光学フィルムに所定画像が映り込むことによって前記第１の光学フィルムの表面に現れる第１の映込み画像を撮像装置が撮影して得られる信号データを処理するデータ処理部を備え、
前記データ処理部は、
前記信号データに基づく前記第１の映込み画像に対応する第１の画像データを２次元フーリエ変換して第１のスペクトル分布を算出するフーリエ変換部と、
参照用の第２のスペクトル分布と、前記第１のスペクトル分布との比を演算することによって、相対スペクトル分布を算出する相対スペクトル分布作成部であって、
前記第２のスペクトルは、前記支持体に貼付された参照用の第２の光学フィルムに前記所定画像が映り込んで前記第２の光学フィルムの表面に現れる第２の映込み画像に対応する第２の画像データを２次元フーリエ変換して得られるスペクトル分布である、
前記相対スペクトル分布作成部と、
前記相対スペクトル分布内の同じ空間周波数に対する複数のスペクトルの平均値を算出して評価データを作成する評価データ作成部と、
を有する、
評価データ作成装置。
【請求項２】
前記データ処理部は、
前記信号データを輝度データに変換することによって、前記第１の画像データを作成する画像データ作成部を、
更に有し、
前記フーリエ変換部は、前記画像データ作成部で作成された前記第１の画像データを２次元フーリエ変換する、
請求項１記載の評価データ作成装置。
【請求項３】
前記画像データ作成部は、複数の信号データをそれぞれ前記輝度データに変換し、変換された前記輝度データを合成することによって、前記第１の画像データを作成し、
前記複数の信号データは、前記撮像装置における露出量が異なっている前記第１の映込み画像に対応する信号データである、
請求項２記載の評価データ作成装置。
【請求項４】
画像表示装置の画面に貼付される光学フィルムを評価する評価データを作成する評価データ作成プログラムであって、
コンピュータに、
支持体に貼付された第１の光学フィルムに所定画像が映り込むことによって前記第１の光学フィルムの表面に現れる第１の映込み画像を撮像装置が撮影して得られる信号データを処理するデータ処理工程を、
実行せしめ、
前記データ処理工程は、
前記信号データに基づく前記第１の映込み画像に対応する第１の画像データを２次元フーリエ変換して第１のスペクトル分布を算出するフーリエ変換工程と、
参照用の第２のスペクトル分布と、前記第１のスペクトル分布との比を演算することによって、相対スペクトル分布を算出する相対スペクトル分布作成工程であって、
前記第２のスペクトルは、前記支持体に貼付された参照用の第２の光学フィルムに前記所定画像が映り込んで前記第２の光学フィルムの表面に現れる第２の映込み画像に対応する第２の画像データを２次元フーリエ変換して得られるスペクトル分布である、
前記相対スペクトル分布作成工程と、
前記相対スペクトル分布内の同じ空間周波数に対する複数のスペクトルの平均値を算出して評価データを作成する評価データ作成工程と、
を有する、
評価データ作成プログラム。
【請求項５】
前記データ処理工程は、前記信号データを輝度データに変換することによって、前記第１の画像データを作成する画像データ作成工程を、更に有し、
前記フーリエ変換工程は、前記画像データ作成工程で作成された前記第１の画像データを２次元フーリエ変換する、
請求項４記載の評価データ作成プログラム。
【請求項６】
前記画像データ作成工程は、複数の信号データをそれぞれ輝度データに変換し、変換された輝度データを合成することによって、前記第１の画像データを作成し、
前記複数の信号データは、前記撮像装置における露出量が異なっている前記第１の映込み画像に対応する信号データである、
請求項５記載の評価データ作成プログラム。
【請求項７】
画像取得部と、
請求項１〜３の何れか一項記載の評価データ作成装置と、
を備え、
前記画像取得部は、
第１の光学フィルムが貼付される支持体、
前記支持体と対向して配置され前記第１の光学フィルムに映り込ませる前記所定画像を表示する画像表示装置、及び、
前記支持体と、前記画像表示装置との間に配置され前記所定画像が前記第１の光学フィルムに映り込むことによって前記第１の光学フィルムの表面に現れる第１の映込み画像を撮影して、前記第１の映込み画像に対応する信号データを得る撮像装置と、
を有し、
前記評価データ作成装置の前記データ処理部は、前記画像取得部が有する前記撮像装置からの信号データを処理する、
評価データ作成システム。
【請求項８】
画像表示装置の画面に貼付される光学フィルムを評価する評価データを作成する評価データ作成方法であって、
支持体に貼付された第１の光学フィルムに所定画像が映り込むことによって前記第１の光学フィルムの表面に現れる第１の映込み画像を、前記第１の光学フィルムに対向して配置された撮像装置で撮影する撮影工程と、
評価データ作成装置が、前記撮像装置から前記第１の映り込み画像に対する信号データの入力を受け付けるデータ受付け工程と、
前記データ作成装置が、前記データ作成装置に入力された前記信号データを処理するデータ処理工程と、
を備え、
前記データ処理工程は、
前記データ作成装置が、前記信号データに基づく前記第１の映込み画像に対応する画像データを２次元フーリエ変換して第１のスペクトル分布を算出するフーリエ変換工程と、
参照用の第２のスペクトル分布と、前記第１のスペクトル分布との比を演算することによって、相対スペクトル分布を作成する相対スペクトル分布作成工程であって、
前記第２のスペクトル分布は、前記支持体に貼付された参照用の第２の光学フィルムに前記所定画像が映り込んで前記第２の光学フィルムの表面に現れる第２の映込み画像に対応する第２の画像データを２次元フーリエ変換して得られるスペクトル分布である、
前記相対スペクトル分布作成工程と、
前記相対スペクトルに含まれる同じ空間周波数に対する複数のスペクトルの平均値を算出して評価データを作成する評価データ作成工程と、
を有する、
評価データ作成方法。
【発明の詳細な説明】
【技術分野】
【０００１】
本発明は、表面処理フィルムとしての光学フィルムを評価するための評価データを作成する装置、評価データを作成するためのプログラム、評価データを作成するシステム及び評価データの作成方法に関する。
【背景技術】
【０００２】
液晶表示装置等の画像表示装置の画面には、外光の映り込みを抑制するために、防眩性などを付与する表面処理が施された光学フィルムが貼付されることがある（特許文献１参照）。このような光学フィルムは表面処理フィルムとして知られる。
【先行技術文献】
【特許文献】
【０００３】
【特許文献１】特開２００３−２７９４８５号公報
【発明の概要】
【発明が解決しようとする課題】
【０００４】
表面処理フィルムにおける表面処理特性（例えば、防眩性）の評価は、従来、人間の目による官能評価でなされていたが、評価者によってバラツキが生じる場合もあるため、より客観的な評価方法が望まれていた。
【０００５】
そこで、本発明の目的は、表面処理フィルムの特性を定量的に評価するための評価データを作成する評価データ作成装置、評価データ作成プログラム、評価データ作成システム及び評価データ作成方法を提供することである。
【課題を解決するための手段】
【０００６】
本発明の一側面に係る評価データ作成装置は、画像表示装置の画面に貼付される光学フィルムを評価する評価データを作成する評価データ作成装置である。評価データ作成装置は、支持体に貼付された第１の光学フィルムに所定画像が映り込むことによって第１の光学フィルムの表面に現れる第１の映込み画像を撮像装置が撮影して得られる信号データを処理するデータ処理部を備える。データ処理部は、信号データに基づく第１の映込み画像に対応する第１の画像データを２次元フーリエ変換して第１のスペクトル分布を算出するフーリエ変換部と、参照用の第２のスペクトル分布と、第１のスペクトル分布との比を演算することによって、相対スペクトル分布を算出する相対スペクトル分布作成部であって、第２のスペクトルは、支持体に貼付された参照用の第２の光学フィルムに上記所定画像が映り込んで第２の光学フィルムの表面に現れる第２の映込み画像に対応する第２の画像データを２次元フーリエ変換して得られるスペクトル分布である、上記相対スペクトル分布作成部と、相対スペクトル分布内の同じ空間周波数に対する複数のスペクトルの平均値を算出して評価データを作成する評価データ作成部と、を有する。
【０００７】
本発明の他の側面に係る評価データ作成プログラムは、画像表示装置の画面に貼付される光学フィルムを評価する評価データを作成する評価データ作成プログラムである。評価データ作成プログラムは、コンピュータに、支持体に貼付された第１の光学フィルムに所定画像が映り込むことによって第１の光学フィルムの表面に現れる第１の映込み画像を撮像装置が撮影して得られる信号データを処理するデータ処理工程を実行せしめる。上記データ処理工程は、信号データに基づく第１の映込み画像に対応する第１の画像データを２次元フーリエ変換して第１のスペクトル分布を算出するフーリエ変換工程と、参照用の第２のスペクトル分布と、第１のスペクトル分布との比を演算することによって、相対スペクトル分布を算出する相対スペクトル分布作成工程であって、第２のスペクトルは、支持体に貼付された参照用の第２の光学フィルムに上記所定画像が映り込んで第２の光学フィルムの表面に現れる第２の映込み画像に対応する第２の画像データを２次元フーリエ変換して得られるスペクトル分布である、上記相対スペクトル分布作成工程と、相対スペクトル分布内の同じ空間周波数に対する複数のスペクトルの平均値を算出して評価データを作成する評価データ作成工程とを有する。
【０００８】
上記評価データ作成装置及び評価データ作成プログラムにおいて、第１及び第２のスペクトル分布は、同じ支持体に貼付された第１及び第２の光学フィルムに対して所定画像が映り込んだ第１及び第２の映込み画像に対応する第１及び第２の画像データを２次元フーリエ変換して得られるスペクトル分布である。そのため、相対スペクトル分布は、第２の光学フィルムの表面特性を基準とした第１の光学スペクトルの表面特性を表している。上記構成では、相対スペクトル分布に含まれる同じ空間周波数に対する複数のスペクトルの平均値を算出する。これは、空間周波数が０を原点とした座標系で相対スペクトル分布を表した場合において、同じ空間周波数を有する複数のスペクトルの原点周りの平均値を算出することに相当するので、平均値の算出によって、空間周波数に対する方位角依存性のないスペクトル情報が得られる。このように方位角依存性を除くことによって、評価データとして、所定画像に依存しておらず、第２の光学フィルムの空間周波数特性に対する、第１の光学フィルムの空間周波数特性を反映したデータが得られる。そのため、評価データを利用することによって、第２の光学フィルムの空間周波数特性を基準として、第１の光学フィルムの空間周波数特性を定量的に評価できる。例えば、第２の光学フィルムとして空間周波数特性が既知のものを選択することで、第１の光学フィルムを、空間周波数特性を利用して評価し得る。
【０００９】
一実施形態において、データ処理部は、信号データを輝度データに変換することによって、第１の画像データを作成する画像データ作成部を、更に有してもよい。この場合、フーリエ変換部は、画像データ作成部で作成された第１の画像データを２次元フーリエ変換する。同様に、一実施形態において、データ処理工程は、信号データを輝度データに変換することによって、第１の画像データを作成する画像データ作成工程を、更に有してもよい。この場合、フーリエ変換工程は、画像データ作成工程で作成された第１の画像データを２次元フーリエ変換する。
【００１０】
理論的には、輝度は光量に比例している。しかしながら、撮像装置によっては、その出力データである信号データが光量に比例していない場合がある。信号データを、輝度データに変換して画像データを作成すれば、実際の明るさに対応した画像データに基づいて第１の光学フィルムを評価し得る。
【００１１】
一実施形態において、画像データ作成部は、複数の信号データをそれぞれ輝度データに変換し、変換された輝度データを合成することによって、第１の画像データを作成してもよい。上記複数の信号データは、撮像装置における露出量が異なっている第１の映込み画像に対応する信号データである。同様に、一実施形態において、画像データ作成工程は、複数の信号データをそれぞれ輝度データに変換し、変換された輝度データを合成することによって、第１の画像データを作成してもよい。上記複数の信号データは、撮像装置における露出量が異なっている第１の映込み画像に対応する信号データである。
【００１２】
撮像装置にはダイナミックレンジがあるので、実際の画像の明るさを一度の撮影では得られない場合があるが、画像データ作成部が、撮像装置における露出量が異なっている複数の信号データをそれぞれ輝度データに変換し、変換された輝度データを合成して第１の画像データを作成することによって、実際の明るさの画像に対応する画像データを得ることができる。そのため、実際の明るさに対応した画像データに基づいて第１の光学フィルムを評価し得る。
【００１３】
本発明の更に他の側面に係る評価データ作成システムは、画像取得部と、上記本発明の一側面に係る評価データ作成装置と、を備える。画像取得部は、第１の光学フィルムが貼付される支持体、支持体と対向して配置され第１の光学フィルムに映り込ませる所定画像を表示する画像表示装置、及び、支持体と、画像表示装置との間に配置され所定画像が第１の光学フィルムに映り込むことによって第１の光学フィルムの表面に現れる第１の映込み画像を撮影して、第１の映込み画像に対応する信号データを得る撮像装置と、を有する。評価データ作成装置のデータ処理部は、画像取得部が有する撮像装置からの信号データを処理する。
【００１４】
上記構成では、支持体に貼付された第１の光学フィルムに映り込んだ第１の映込み画像は、支持体に対向して配置された画像表示装置に表示される所定画像が第１の光学フィルムに映り込んだものである。このように第１の光学フィルムの表面に現れる第１の映り込み画像を撮像装置が撮影して得られる信号データを、評価データ作成装置のデータ処理部が処理して、評価データを作成する。第１の光学フィルムには、それに対向した画像表示装置に表示される所定画像を映り込ませるので、季節や時間などによる評価データへの影響を低減できる。そのため、第１の光学フィルムをより正確に評価できる。
【００１５】
本発明の更に他の側面に係る評価データ処理方法は、画像表示装置の画面に貼付される光学フィルムを評価する評価データを作成する評価データ作成方法である。評価データ作成方法は、支持体に貼付された第１の光学フィルムに所定画像が映り込むことによって第１の光学フィルムの表面に現れる第１の映込み画像を、第１の光学フィルムに対向して配置された撮像装置で撮影する撮影工程と、評価データ作成装置が、撮像装置から第１の映り込み画像に対する信号データの入力を受け付けるデータ受付け工程と、データ作成装置が、データ作成装置に入力された信号データを処理するデータ処理工程と、を備える。データ処理工程は、データ作成装置が、信号データに基づく第１の映込み画像に対応する画像データを２次元フーリエ変換して第１のスペクトル分布を算出するフーリエ変換工程と、参照用の第２のスペクトル分布と、第１のスペクトル分布との比を演算することによって、相対スペクトル分布を作成する相対スペクトル分布作成工程であって、第２のスペクトル分布は、上記支持体に貼付された参照用の第２の光学フィルムに上記所定画像が映り込んで第２の光学フィルムの表面に現れる第２の映込み画像に対応する第２の画像データを２次元フーリエ変換して得られるスペクトル分布である、相対スペクトル分布作成工程と、相対スペクトルに含まれる同じ空間周波数に対する複数のスペクトルの平均値を算出して評価データを作成する評価データ作成工程と、を有する。
【００１６】
上記方法では、第１及び第２のスペクトル分布は、同じ支持体に貼付された第１及び第２の光学フィルムに対して所定画像が映り込んだ第１及び第２の映込み画像に対応する第１及び第２の画像データを２次元フーリエ変換して得られるスペクトル分布である。そのため、相対スペクトル分布は、第２の光学フィルムの表面特性を基準とした第１の光学スペクトルの表面特性を表している。上記構成では、相対スペクトル分布に含まれる同じ空間周波数に対する複数のスペクトルの平均値を算出する。これは、空間周波数が０を原点とした座標系で相対スペクトル分布を表した場合において、同じ空間周波数を有する複数のスペクトルの原点周りの平均値を算出することに相当するので、平均値の算出によって、空間周波数に対する方位角依存性のないスペクトル情報が得られる。このように方位角依存性を除くことによって、評価データとして、所定画像に依存しておらず、第２の光学フィルムの空間周波数特性に対する、第１の光学フィルムの空間周波数特性を反映したデータが得られる。そのため、評価データを利用することによって、第２の光学フィルムの空間周波数特性を基準として、第１の光学フィルムの空間周波数特性を定量的に評価できる。例えば、第２の光学フィルムとして空間周波数特性が既知のものを選択することで、第１の光学フィルムを、空間周波数特性を利用して評価し得る。
【発明の効果】
【００１７】
本発明によれば、表面処理フィルムの特性を評価するための評価データを作成する評価データ作成装置、評価データ作成プログラム、評価データ作成システム及び評価データ作成方法が提供され得る。
【図面の簡単な説明】
【００１８】
【図１】図１は、一実施形態に係る評価データ作成装置を備える評価データ作成システムの概略構成を示す図面である。
【図２】図２は、データ作成装置を利用した評価データ作成方法のフローチャートである。
【図３】図３は、露出量の異なる複数の画像の撮像を説明するための模式図である。
【図４】図４（ａ）は、参照用光学フィルムに映り込んだ映込み画像の一例を示す図面である。図４（ｂ）は、評価用光学フィルムに映り込んだ映込み画像の一例を示す図面である。
【図５】図５は、輝度データ変換を説明するための図面である。
【図６】図６（ａ）は、参照用光学フィルムに映り込んだ映込み画像に対するスペクトル分布である。図６（ｂ）は、評価用光学フィルムに映り込んだ映込み画像に対するスペクトル分布である。
【図７】図７は、図６（ａ）及び図６（ｂ）に示したスペクトル分布に対して、相対スペクトル分布を算出した結果を示す図面である。
【図８】図８は、空間周波数に対して、評価データ値をプロットしたグラフである。
【図９】図９は、実験に使用した光学フィルムＥ１〜Ｅ６の映り込み画像を示す図面である。
【図１０】図１０は、光学フィルムＥ２〜Ｅ６の評価データを示す図面である。
【図１１】図１１は、光学フィルムＥ４と、光学フィルムＥ５の評価データを抜粋した図面である。
【図１２】図１２は、光学フィルムＥ４の評価データを、光学フィルムＥ５の評価データで除した結果を示すグラフである。
【図１３】図１３は、光学フィルムＥ２〜Ｅ６に対する反射特性を示す図面である。
【図１４】図１４は、光学フィルムＥ２〜Ｅ６に対する防眩性を示すグラフである。
【図１５】図１５は、目視評価における着目領域を示す図面である。
【発明を実施するための形態】
【００１９】
以下、本発明の実施形態について図面を参照しながら説明する。同一の要素には同一符号を付する。重複する説明は省略する。図面の寸法比率は、説明のものと必ずしも一致していない。説明中、「上」、「下」等の方向を示す語は、図面に示された状態に基づいた便宜的な語である。
【００２０】
図１は、一実施形態に係る評価データ作成装置を備える評価データ作成システムの概略構成を示す図面である。評価データ作成システム１は、画像表示装置の画面に貼付される光学フィルムを評価する評価データを作成するシステムである。
【００２１】
評価されるべき光学フィルムは、表面処理が施された表面処理フィルムである。表面処理の一例は、反射防止機能及び防眩性の少なくとも一方が付与されるような表面処理である。具体的には、表面処理フィルムとしての光学フィルムは、透明なフィルムの表面に反射防止層を形成したフィルム或いは透明なフィルムの表面に微細な凹凸を形成したフィルムなどが例示され得る。表面処理フィルムの基材の例は、ポリエチレンテレフタレートといった透明な樹脂である。
【００２２】
上述した表面処理フィルムのように、画像表示装置の画面に貼付される光学フィルムは、画面の保護フィルムとしても機能する。画像表示装置の例は、液晶ディスプレイ及びプラズマディスプレイといったフラットパネルディスプレイである。
【００２３】
評価データ作成システム１は、評価データを作成するための画像を取得する画像取得部１０と、空間周波数解析を利用して光学フィルムの評価データを作成する評価データ作成装置２０と、を備える。
【００２４】
画像取得部１０は、２台の画像表示装置１１，１２と、撮像装置としてのカメラ１３とを有する。
【００２５】
２台の画像表示装置１１，１２は、それらの画面１１ａ，１２ａが互いに向かいあうように、一定の距離を開けて配置されている。画像取得部１０で使用される画像表示装置１１，１２の例も上述したフラットパネルディスプレイである。画像表示装置１１の画面１１ａには、評価データを作成するために使用される光学フィルム３０が貼付される。画像表示装置１１は、光学フィルム３０を支持する支持体として機能する。
【００２６】
画像表示装置１２は、光学フィルム３０に映り込ませる所定画像を表示する。図１では、所定画像が画面１２ａに表示されることによって発せられる光を矢印で模式的に示している。
【００２７】
カメラ１３は、画像表示装置１１と画像表示装置１２との間に配置されている。カメラ１３は、画面１１ａに貼付された光学フィルム３０がカメラ１３の撮影範囲内に入るように配置されていればよい。カメラ１３は、通常、画像表示装置１２寄りであって、画面１２ａの中央近傍に配置される。カメラ１３は、ＣＭＯＳイメージセンサといった撮像素子を備えており、撮影した画像に対応する信号データを出力し得る。
【００２８】
一実施形態において、画面１２ａは、画面１１ａ及びカメラ１３の大きさより大きくしてもよい。これにより、画面１２ａに表示された所定画像を、光学フィルム３０に映り込ませられ得る。
【００２９】
評価データ作成装置２０は、カメラ１３から評価データ作成装置２０に入力される信号データを処理するデータ処理部２１を備える。
【００３０】
データ処理部２１は、カメラ１３からの信号データに基づいたデータ処理用の画像データを作成する画像データ作成部２１Ａと、画像データを２次元フーリエ変換してスペクトル分布を得るフーリエ変換部２１Ｂと、参照用の所定のスペクトル分布（第２のスペクトル分布）に対する、評価用の光学フィルム３０に対するスペクトル分布（第１のスペクトル分布）の比を演算することによって、相対スペクトル分布を作成する相対スペクトル分布作成部２１Ｃと、相対スペクトル分布内の同じ空間周波数に対する複数のスペクトルの方位角に対する平均値を算出して評価データを作成する評価データ作成部２１Ｄと、を有する。
【００３１】
上記画像データ作成部２１Ａ、フーリエ変換部２１Ｂ、相対スペクトル分布作成部２１Ｃ及び評価データ作成部２１Ｄは、評価データ作成装置２０の主要な構成要素である。評価データ作成装置２０は、上記画像データ作成部２１Ａ、フーリエ変換部２１Ｂ、相対スペクトル分布作成部２１Ｃ及び評価データ作成部２１Ｄの他に、ユーザからの指示の入力或いはカメラ１３からの信号データを受け付ける入力部、各種データ及びプログラムを記憶する記憶部、及び、作成した評価データを表示装置や印刷装置に出力する出力部を備え得る。
【００３２】
評価データ作成装置２０において、画像データ作成部２１Ａ、フーリエ変換部２１Ｂ、相対スペクトル分布作成部２１Ｃ及び評価データ作成部２１Ｄは、データの処理の流れに応じて互いに連携できるように直接又は評価データ作成装置２０の他の構成要素（例えば、入力部、記憶部及び出力部）等を介して間接的に接続されている。
【００３３】
図２は、図１に示したデータ作成装置を利用した評価データ作成方法のフローチャートである。評価データ作成方法は、図２に示したように、画像取得工程Ｓ１０と、データ受付工程Ｓ１１と、データ処理工程Ｓ１２と、を備える。
【００３４】
データ処理工程Ｓ１２は、画像データ作成工程Ｓ１２Ａ、フーリエ変換工程Ｓ１２Ｂ、相対スペクトル分布作成工程Ｓ１２Ｃ及び評価データ作成工程Ｓ１２Ｄ、を有する。
【００３５】
評価データ作成装置２０が有する画像データ作成部２１Ａ、フーリエ変換部２１Ｂ、相対スペクトル分布作成部２１Ｃ及び評価データ作成部２１Ｄは、画像データ作成工程Ｓ１２Ａ、フーリエ変換工程Ｓ１２Ｂ 、相対スペクトル分布作成工程Ｓ１２Ｃ及び評価データ作成工程Ｓ１２Ｄを実行するための評価データ作成装置２０の各機能を表している。そのため、画像データ作成部２１Ａ、フーリエ変換部２１Ｂ、相対スペクトル分布作成部２１Ｃ及び評価データ作成部２１Ｄの具体的な説明は、データ処理工程Ｓ１２が有する各工程を説明する際に一緒に説明する。
【００３６】
一実施形態において、評価データ作成装置２０は、画像データ作成部２１Ａ、フーリエ変換部２１Ｂ、相対スペクトル分布作成部２１Ｃ及び評価データ作成部２１Ｄの各機能を備えた専用の装置であり得る。一実施形態において、評価データ作成装置２０は、データ処理部２１が有する画像データ作成部２１Ａ、フーリエ変換部２１Ｂ、相対スペクトル分布作成部２１Ｃ及び評価データ作成部２１Ｄの各機能、すなわち、画像データ作成工程Ｓ１２Ａ、フーリエ変換工程Ｓ１２Ｂ、相対スペクトル分布作成工程Ｓ１２Ｃ及び評価データ作成工程Ｓ１２Ｄをコンピュータに実行せしめる評価データ作成プログラムを組み込んだパーソナルコンピュータ（パソコン）でもよい。評価データ作成プログラムを組み込んだパソコンである場合、パソコンが評価データ作成プログラムを実行することによって、パソコンが評価データ作成装置２０として機能する。
【００３７】
以下、一実施形態に係る評価データ作成方法について、カメラ１３が備える撮像素子をＣＭＯＳイメージセンサとして説明する。
【００３８】
[画像取得工程Ｓ１０]
画像取得工程Ｓ１０では、評価データ作成装置２０でデータ処理すべき画像を撮影する。
【００３９】
評価用サンプルとしての光学フィルム３０を画像表示装置１１の画面１１ａに貼付した後、画像表示装置１２の画面１２ａに所定画像を表示する。これにより、光学フィルム３０の表面（画面１１ａと反対側の面）に、画面１２ａで表示された所定画像が擬似外光として映り込む。次に、カメラ１３で光学フィルム３０に映り込んだ画像（以下、映込み画像と称す）を撮影する。この撮影の際、画像表示装置１１の電源はＯＦＦ、すなわち、画面１１ａには何も表示させない。
【００４０】
映込み画像を撮影する場合、カメラ１３の露出量を変えた複数枚の画像を撮影する。露出量は、例えば、カメラ１３の絞りを一定にして露出時間を変化させることによって調整され得る。これは、図３に示すように、撮影したい実際の画像の明るさを複数の明るさの範囲に分割して撮影していることに対応する。図３では、撮影したい実際の画像の明るさの範囲を、第１の明るさ範囲、第２の明るさ範囲及び第３の明るさ範囲の３つに分割している例を模式的に示している。撮影したい実際の画像の明るさの範囲を輝度に換算した場合の範囲が、０．５５〜７２０ｃｄ／ｍ２である場合、第１〜第３の明るさ範囲に対応する第１〜第３の輝度範囲の例は次の通りである。すなわち、第１の輝度範囲の例は０．５５〜７．４ｃｄ／ｍ２であり、第２の輝度範囲の例は、７．４〜６０ｃｄ／ｍ２であり、第３の輝度範囲の例は６０〜７２０ｃｄ／ｍ２である。明るさ範囲の分割数は、撮影したい実際の画像の明るさと、ＣＭＯＳイメージセンサのダイナミックレンジの大きさに応じて決定すればよく、分割数は３に限定されない。分割した明るさ範囲は、図３に示したように重複範囲がなくてもよいが、一定の重複範囲が生じていても良い。
【００４１】
画像取得工程Ｓ１０では、評価用サンプルとしての光学フィルム３０の代わりに、基準となる参照用の光学フィルム３０を画面１１ａに貼付して、評価用の光学フィルム３０の場合と同じ条件で且つ評価用の光学ファイル３０の場合と同様にして、参照用の光学フィルム３０に映り込んだ映込み画像を撮影する工程を更に有してもよい。参照用の光学フィルム３０の例は、表面処理が施されていない光学フィルム３０、すなわち、いわゆるグレアフィルムである。参照用の光学フィルム３０の一例は、評価用の光学フィルム３０と同じ基材で構成され評価用の光学フィルム３０に対して施された表面処理が施されていないフィルムである。
【００４２】
説明の便宜のために、評価用サンプルとしての光学フィルム３０を、評価用光学フィルム３１と称し、参照用の光学フィルム３０を、参照用光学フィルム３２と称する場合もある。
【００４３】
図４（ａ）は、参照用光学フィルムに映り込んだ映込み画像の一例を示す図面である。図４（ｂ）は、評価用光学フィルムに映り込んだ映込み画像の一例を示す図面である。図４（ａ）及び図４（ｂ）は、光学フィルムの違い以外は、同じ条件で撮影された画像を示している。
【００４４】
画像取得工程Ｓ１０で、評価用光学フィルム３１及び参照用光学フィルム３２に映り込んだ画像をカメラ１３で撮影する場合、評価用光学フィルム３１及び参照用光学フィルム３２に所定画像からの光以外の光が反射しないように、例えば、画像取得部１０を暗幕など覆っておいてもよい。
【００４５】
［データ受付け工程Ｓ１１］
評価データ作成装置２０は、カメラ１３で撮影された画像に対応する信号データの入力を受け付ける。このデータの受け付けは、例えば、評価データ作成装置２０が外部からのデータなどの入力を受け付ける入力部を介して実施され得る。カメラ１３が露出量の異なる状態で撮影された複数枚の映込み画像に対する信号データを有する場合、それら複数の信号データの入力がデータ受付工程Ｓ１１で受け付けられる。カメラ１３が参照用光学フィルム３２に映り込んだ映込み画像の信号データを有する場合、それらの信号データもデータ受付工程Ｓ１１で受け付けられる。評価データ作成装置２０への信号データの入力方法又は転送方法は、カメラ１３から評価データ作成装置２０に信号データを入力できれば特に限定されない。例えば、ＵＳＢケーブルといった有線を利用してカメラ１３と評価データ作成装置２０とを物理的に連結する方法でもよいし、無線通信を利用した方法でもよいし、ＳＤメモリカードといった記録媒体を利用した方法でもよい。
【００４６】
[データ処理工程Ｓ１２]
次に、評価データ作成装置２０が評価データを作成するデータ処理工程Ｓ１２について説明する。データ処理工程Ｓ１２は、前述したように、画像データ作成工程Ｓ１２Ａ、フーリエ変換工程Ｓ１２Ｂ、相対スペクトル分布作成工程Ｓ１２Ｃ及び評価データ作成工程Ｓ１２Ｄを有する。
【００４７】
（画像データ作成工程Ｓ１２Ａ）
画像データ作成工程Ｓ１２Ａでは、画像データ作成部２１Ａが、カメラ１３からの信号データを、後工程においてデータ処理するための処理用画像データに変換する。具体的には次の工程１と、必要に応じて工程２とを行う。
【００４８】
１）工程１：カメラ１３からの信号データを輝度データに変換する。
【００４９】
図５は、輝度データ変換を説明するための図面である。図５中の横軸は光量を示し、縦軸は、カメラ１３からの出力値を示す。撮像素子としてのＣＭＯＳイメージセンサが理想的な信号特性を有する、すなわち、輝度計として機能する場合、図５に示す破線のように光量に対して出力値は比例する。このように光量に比例した出力値は輝度値に対応する。しかしながら、通常、図５の実線で示すようにＣＭＯＳイメージセンサ固有の出力特性が生じる。そのため、ＣＭＯＳイメージセンサからの信号データは、映込み画像の輝度情報を正確に表していない場合もある。
【００５０】
工程１では、カメラ１３が有するＣＭＯＳイメージセンサの出力特性に基づいた出力値を補正して、破線で表される光量に比例した輝度値に変換する。この変換は、例えば、ＣＭＯＳイメージセンサから出力された値に、所定の補正係数を乗算することにより行い得る。補正係数は、例えば、所定の光量の光に対するＣＭＯＳイメージセンサの出力値と、同じ光量に対する輝度計の計測結果とを比較して予め算出しておけばよい。ただし、変換方法は、カメラ１３が有するＣＭＯＳイメージセンサの出力特性に基づいた出力値を補正して、破線で表される光量に比例した輝度値に変換できれば、上記例示した方法に限定されない。本実施形態において輝度データとは、上記のように、光量に比例した輝度値から構成されるデータである。
【００５１】
２）工程２：同一の映込み画像を異なる露出量で撮影することによって得られた輝度データを合成して１つの処理用画像データを作成する。
【００５２】
画像取得工程Ｓ１０で説明したように、露出量の異なる複数枚の画像を撮影することで、撮影したい実際の画像の明るさを分割している場合、工程２では、工程１において、各信号データから変換された輝度データを合成して、１つの画像データを形成する。
【００５３】
撮像素子としてＣＭＯＳイメージセンサを使用している場合、ダイナミックレンジが制限されている。そのため、ＣＭＯＳイメージセンサのダイナミックレンジを越える光量がカメラ１３に入射すると、画像に、いわゆる白飛び領域が生じ、ダイナミックレンジより少ない光量の場合には、いわゆる黒つぶれ領域が生じる。そこで、図３に示したように、実際の画像の明るさを複数に分割して、各明るさに対応する画像を撮影した後、工程２で合成することによって、実際の画像の明るさを反映した画像データを得ることができる。複数の明るさ範囲（図３では、第１〜第３の明るさ範囲）のうち隣接する２つの明るさ範囲の境界領域で重なりが生じている場合、予めどちらかのデータを採用するように決めておけばよい。上記第１〜第３の明るさ範囲は、実際の画像の明るさ範囲に対応する輝度範囲を第１〜第３の輝度範囲に分割し、第１〜第３の輝度範囲に対応するように設定され得る。
【００５４】
画像取得工程Ｓ１０で露出量を変えて映込み画像を撮影していない場合、画像データ作成部２１は、工程２を実施しない。工程２を実施するか否かは、入力部が受け付けられ得るユーザからの指示に基づいて判断されてもよい。或いは、データ作成部２１が判定部を備え、その判定部がカメラ１３から入力部に入力され受け付けられた同じ画像に対する信号データの数を判定すると共に、その判定に基づいて決定してもよい。
【００５５】
画像データ作成部２１Ａは、上記工程１及び工程２を、評価用光学フィルム３１に映り込んだ画像をカメラ１３で撮影して得られる映込み画像（第１の映込み画像）の信号データに対して実行する。画像データ作成部２１Ａは、参照用光学フィルム３２に映り込んだ画像をカメラ１３で撮影している場合、カメラ１３で撮影して得られる参照用光学フィルム３２に現れた映込み画像（第２の映込み画像）の信号データにも、上記工程１及び工程２を実行する。
【００５６】
（フーリエ変換工程Ｓ１２Ｂ）
フーリエ変換工程Ｓ１２Ｂでは、フーリエ変換部２１Ｂが、映込み画像に対応する画像データを２次元フーリエ変換し、空間周波数に対してフーリエ変換値が対応づけられたスペクトル分布を算出する。
【００５７】
具体的には、評価用光学フィルム３１の映込み画像に対応する画像データ（第１の画像データ）における（ｘ，ｙ）の輝度値をｆｒ（ｘ，ｙ）と表し、参照用光学フィルム３２の映込み画像に対応する画像データ（第２の画像データ）における（ｘ，ｙ）の輝度値をｆ（ｘ，ｙ）としたとき、ｆｒ（ｘ，ｙ）及びｆ（ｘ，ｙ）それぞれを２次元フーリエ変換して、スペクトルＦｒ（ｕ,ｖ）及びＦ（ｕ,ｖ）を算出する。
【００５８】
上記ｘは、図４（ａ）及び図４（ｂ）に示した画像におけるｘ方向の位置を示し、ｙは図４（ａ）及び図４（ｂ）に示した画像におけるｙ方向の位置を示す。ｕは、ｘ方向の空間周波数成分であり、ｖは、ｙ方向の空間周波数成分である。
【００５９】
図６（ａ）は、参照用光学フィルムに映り込んだ画像に対するスペクトル分布（フーリエ画像）であり、図４（ａ）に示した映込み画像を利用したスペクトル分布である。図６（ｂ）は、評価用光学フィルムに映り込んだ画像に対するスペクトル分布（フーリエ画像）であり、図４（ｂ）に示した映込み画像を利用したスペクトル分布である。図６（ａ）及び図６（ｂ）では、Ｆｒ（ｕ,ｖ）及びＦ（ｕ,ｖ）の絶対値（強度）が輝点として表現されている。
【００６０】
図６（ａ）及び図６（ｂ）は、横方向をｕ軸、すなわち、ｘ方向の空間周波数成分を示す軸とし、横方向に直交する縦方向を、ｖ軸、すなわち、ｙ方向の空間周波数成分を示す軸として表される座標系に対して表されたスペクトル分布（フーリエ画像）である。図６（ａ）及び図６（ｂ）における上記座標系の原点Ｏは、空間周波数のｕ成分及びｙ成分が共に０、すなわち、ＤＣ成分を表している。原点Ｏに近いほど低周波成分を示し、原点Ｏから離れるに従って高周波成分を表すように、図６（ａ）及び図６（ｂ）ではスペクトルがプロットされている。
【００６１】
図６（ａ）及び図６（ｂ）において、（ｕ，ｖ）であらわされる輝点の原点Ｏに対する位置は波の方向を示し、輝点と、原点Ｏとの距離は、空間周波数の大きさを示す。更に、各スペクトルの大きさ、すなわち、波の大きさ（強度）は、輝点の明るさで表されている。輝点の明るさは、グレースケールで表現されており、白い方がより明るい、すなわち、強度がより大きいことを示す。
【００６２】
（相対スペクトル分布作成工程Ｓ１２Ｃ）
相対スペクトル分布作成工程Ｓ１２Ｃでは、相対スペクトル分布作成部２１Ｃが、参照用光学フィルム３２に対応する参照用のスペクトル分布（第２のスペクトル分布）に対する評価用光学フィルム３１に対応する評価用のスペクトル分布（第１のスペクトル分布）の比を算出する。参照用のスペクトル分布に対する評価用のスペクトル分布の比を算出するとは、２つのスペクトル分布において対応する位置のスペクトルの比を算出することである。
【００６３】
具体的には、相対スペクトル分布作成部２１Ｃが、式（１）で表される演算を実行する。
Ｍｒ（ｕ，ｖ）＝Ｆｒ（ｕ，ｖ）／Ｆ（ｕ，ｖ）・・・（１）
比Ｍｒ（ｕ，ｖ）は、評価用光学フィルム３１及び参照用光学フィルム３２が貼付された支持体としての画像表示装置１１のスペクトルへの影響が取り除かれたスペクトルを表す。換言すれば、Ｍｒ（ｕ，ｖ）を算出することによって、Ｆｒ（ｕ，ｖ）で表されるスペクトルから、評価用光学フィルム３１の表面特性を抽出している。更に、参照用光学フィルム３２として、表面処理が施されていない光学フィルム、すなわち、グレアフィルムを用いた場合、比Ｍｒ（ｕ，ｖ）は、表面処理が施された評価用光学フィルム３１固有の空間周波数特性を示す。従って、Ｍｒ（ｕ，ｖ）は、評価用光学フィルム３１の伝達関数ＭＴＦ（Modulation Transfer Function）に対応する。Ｍｒ（ｕ，ｖ）は、式（１）より、参照用光学フィルム３２に対するスペクトルからの変化率でもある。
【００６４】
図７は、図６（ａ）及び図６（ｂ）に示したスペクトル分布から、相対スペクトル分布を算出した結果を示す図面である。図７に示された相対スペクトル分布を表すための座標系は、図６（ａ）及び図６（ｂ）の場合と同様である。図７の輝点の明るさは、相対スペクトルの大きさ（強度）を示している。輝点の明るさがグレースケールで示されているのは、図６（ａ）及び図６（ｂ）の場合と同様である。
【００６５】
（評価データ作成工程Ｓ１２Ｄ）
評価データ作成工程Ｓ１２Ｄでは、評価データ作成部２１Ｄが、相対スペクトル分布作成工程Ｓ１２Ｃで作成された相対スペクトル分布において、同じ空間周波数に対する複数の相対スペクトルに対して方位角依存性をなくすように平均値を算出する。同じ空間周波数とは、（ｕ，ｖ）で表される空間周波数ベクトルの大きさが同じことを意味する。この場合、同じ空間周波数に対する複数の相対スペクトルは、原点Ｏに対して、同一円周上にある複数の相対スペクトルである。
【００６６】
上記平均値は、原点Ｏに対して、同一円周上にある全ての相対スペクトルの平均値を算出すればよい。ただし、例えば、ｕ軸を基準にして、ｕ軸から１８０度以下の角度、すなわち、図７に示した矢印の範囲における平均値を算出してもよい。これは、スペクトル分布における対称性のためである。なお、図７では、ｕ軸を基準にして説明しているが、原点Ｏに対して所定方向を基準して、その方向から１８０度以下の角度範囲における平均値を算出してもよい。
【００６７】
評価データ作成部２１Ｄが、上記平均値を算出することにより、低周波から高周波に渡る空間周波数それぞれに対して平均値が得られる。各空間周波数に対する平均値が評価データ値である。
【００６８】
図８は、空間周波数に対して、評価データ値をプロットしたグラフである。図８は、評価用光学フィルム３１の映り込み特性を示す。横軸は、空間周波数を示し、縦軸は、評価データ値を示している。横軸及び縦軸は共に対数で表されている。この図８における評価データ値の分布状態が、光学フィルム３１における表面処理の特性を表している。図８に示した評価データ値の分布を利用して、光学フィルム３１の表面処理特性を解析可能である。
【００６９】
図８において、実線Ｒは、ＤＣ成分に対する評価データ値を示している。ＤＣ成分は、図７における原点、すなわち、ｕ＝ｖ＝０でのＭｒ（ｕ，ｖ）である。ＤＣ成分に対する評価データ値の大きさは評価用光学フィルム３１による反射強度を示す。すなわち、ＤＣ成分に対する評価データ値は、評価用光学フィルム３１の反射特性を示している。
【００７０】
ＤＣ成分に対する評価データ値から、ある空間周波数に対する評価データ値までの距離Ｄは、ボケの程度、換言すれば、評価用光学フィルム３１の防眩性を示している。従って、図８を解析することによって、反射特性及び防眩性を数値化できる。その結果、評価データを利用して評価用光学フィルム３１を定量的に評価できる。距離Ｄを防眩性評価値Ｄとも称す。図８では、防眩性評価値Ｄとして、低周波領域における防眩性評価値Ｄ１と、高周波領域における防眩性評価値Ｄ２を模式的に示している。防眩性評価値Ｄ１は、空間周波数２．５ｃｙｃｌｅ／ｄｅｇ近傍の空間周波数に対する評価データ値の平均値とＤＣ成分に対する評価データ値との差である。防眩性評価値Ｄ２は、空間周波数９．５ｃｙｃｌｅ／ｄｅｇ近傍の空間周波数に対する評価データ値の平均値と、ＤＣ成分の評価データ値との差である。防眩性評価値Ｄ１，Ｄ２を得るために使用する上記平均値の算出方法は特に限定されない。所定の空間周波数近傍の空間周波数に対する評価データ値の平均値の算出方法の例は、相乗平均及び相加平均等を含み、好ましくは、相乗平均である。
【００７１】
評価データを得るために、参照用スペクトル分布に対する評価用スペクトル分布の比を算出している。そのため、評価データ作成部２１Ｄが作成した評価データは、評価用スペクトル分布から支持体としての画像表示装置１１の影響を取り除いた評価用光学フィルム３１のデータである。そのため、評価データを利用して評価用光学フィルム３１の表面処理特性を定量的に評価できる。
【００７２】
特に、参照用スペクトルとして、表面処理が施されていない光学フィルム３２を使用している場合、評価データは、評価用光学フィルム３１が有する表面特性固有の周波数特性を表す。よって、評価データを利用して、評価用光学フィルム３１の表面処理特性を、より正確に評価できる。更に、評価データが、評価用光学フィルム３１が有する表面特性固有の周波数特性を表している場合、映り込みに使用した画像を変えた場合において、他の画像に対する映り込み画像をシミュレーションにより再現することも可能である。
【００７３】
更に、相対スペクトル分布において同じ空間周波数に対する角度周りの平均値を算出し、その平均値を評価データ値として使用する。同じ空間周波数に対する複数のスペクトルの平均値を算出することによって、相対スペクトル分布における方位角依存性が除去される。
【００７４】
方位角依存性があると、光学フィルム３０に映り込ませる所定画像を変えた場合に、評価が異なる場合が生じる。これに対して、上記のように方位角依存性を除去することによって、光学フィルム３０に映り込ませる所定画像に依存せずに、評価用光学フィルム３１の表面特性を評価可能である。
【００７５】
図２を利用して説明した評価データ作成方法の一実施形態では、参照用スペクトルとして、表面処理が施されていない光学フィルム３２を使用している場合を例示して説明した。しかしながら、例えば、参照用スペクトルとして既知の所定のスペクトル、すなわち、周波数特性が既知の参照用の光学フィルム３２を使用した場合も、例えば、評価データとして、評価用光学フィルム３１の表面処理特性を得ることができる。
【００７６】
作成される評価データは、評価用光学フィルム３１に映り込んだ画像を実際に撮影した２次元画像を元に作成されている。そのため、評価用光学フィルム３１の評価を、評価用光学フィルム３１が実際に使用された状況で且つユーザからの視点により近い状態で定量的に行うことができる。その結果、得られた評価は、所望の表面処理特性を有する光学フィルム３０の製造に寄与しやすい。前述したように、評価データは、反射特性と防眩性との観点から評価し得る。この点でもユーザによる官能評価に近い評価を定量的に行うことができる。
【００７７】
カメラ１３からの信号データを輝度データに変換して画像データを作成する形態では、実際の映り込み画像の輝度情報をより反映した評価データを得ることができる。その結果、評価用光学フィルム３１を正確に評価し得る。同じ映込み画像をカメラ１３が異なる露出量で撮影して得られる複数の信号データを処理する形態では、実際の映り込み画像の輝度情報をより正確に反映した評価データを得ることができる。その結果、より一層、評価用光学フィルム３１を正確に評価し得る。
【００７８】
図１に示した評価データ作成システム１では、光学フィルム３１，３２に対向して配置される画像表示装置１２に映し出した所定画像を擬似外光としながら、その所定画像が、光学フィルム３１，３２に映し込んだ画像をカメラ１３で撮影している。そのため、例えば、光学フィルム３１として表面処理の異なる複数枚のフィルムを評価する場合又は参照用光学フィルム３２の映り込み画像を撮影する場合に、同じ条件で撮影が可能である。その結果、撮影環境（季節及び撮影時間等）の影響が評価に対して低減され得る。
【００７９】
以下、実験例を参照しながら図１に示した評価データ作成装置２０及びそれを用いた評価データ作成方法により作成された評価データで、光学フィルム３０を評価できることについて更に説明する。実験では、光学フィルム３０として次の光学フィルムＥ１〜Ｅ６を使用した。光学フィルムＥ１は、参照用光学フィルム３２である。光学フィルムＥ２〜Ｅ６は、評価用光学フィルム３１である。
【００８０】
光学フィルムＥ１としては表面処理が施されていないフィルムを使用した。光学フィルムＥ１は、凸版印刷株式会社製のハードコートである。
【００８１】
光学フィルムＥ２としてLow-Reflection(LR)フィルムを使用した。光学フィルムＥ２は、凸版印刷株式会社製のＬＲである。光学フィルムＥ２の反射率は１〜２％である。
【００８２】
光学フィルムＥ３としてAnti-glare, Low-reflection(AGLR)フィルムを使用した。光学フィルムＥ３は、大日本印刷株式会社製のＨＬＡＧ２である。光学フィルムＥ３の反射率は２．３％であり、ヘイズは１．８％である。
【００８３】
光学フィルムＥ４としてＡｎｔｉ―Ｇｌａｒｅ（ＡＧ）フィルムを使用した。光学フィルムＥ４は、凸版印刷株式会社製のＶＨ０１である。光学フィルムＥ４の反射率は４．４％であり、ヘイズは０．６％である。
【００８４】
光学フィルムＥ５としてＡＧフィルムを使用した。光学フィルムＥ５は、富士フィルム株式会社製のＣＶＬＵ３である。光学フィルムＥ４の反射率は３．７％であり、ヘイズは０．５％である。
【００８５】
光学フィルムＥ６としてＡＧフィルムを使用した。光学フィルムＥ６は、大日本印刷株式会社製のＤＳ２０Ｓである。光学フィルムＥ６の反射率は４．４％であり、ヘイズは２．６％である。
【００８６】
各光学フィルムＥ１〜Ｅ６を画像表示装置１１の画面１１ａに貼付して、図２に示したフローチャートに沿って評価データを作成した。画像表示装置１２で表示した所定画像は、各光学フィルムＥ１〜Ｅ６に対して同じである。撮影に使用したカメラ１３の撮像素子はＣＭＯＳイメージセンサであり、画素数は、５６１６×３７４４４であった。
【００８７】
実験では、各光学フィルムＥ１〜Ｅ６それぞれに対して、露出量を４段階に変えて所定画像の映り込んだ画像を撮影した。そのため、画像データ作成工程Ｓ１２Ａでは、各光学フィルムＥ１〜Ｅ６における映込み画像の４つの信号データそれぞれを輝度データに変換した後、４つの輝度データを合成して処理用の画像データを作成した。露出量の分割の仕方は、光学フィルムＥ１〜Ｅ６間で同じである。
【００８８】
図９は、画像撮影工程で撮影した光学フィルムＥ１〜Ｅ６の映り込み画像を示す図面である。具体的には、図９（ａ）〜図９（ｅ）の画像は、同じ露出量で撮影された光学フィルムＥ１〜Ｅ６の映り込み画像を示している。
【００８９】
図１０は、光学フィルムＥ２〜Ｅ６の評価データを示す図面である。図１０から理解されるように、評価データ値の空間周波数に対する変化傾向が、空間周波数領域によっては、光学フィルムＥ２〜Ｅ６間で異なる傾向がある。この点について図１１及び図１２を参照して説明する。
【００９０】
図１１は、光学フィルムＥ４と、光学フィルムＥ５の評価データを抜粋した図面である。光学フィルムＥ４では、評価データ値が低周波領域から高周波領域にかけて実線Ｉのように直線的に減少するのに対して、光学フィルムＥ５では、実線ＩＩで示すように、ある空間周波数領域を境に減少傾向が緩やかになっている。すなわち、光学フィルムＥ４と光学フィルムＥ５の表面処理特性の性質（特に、防眩性）が、低周波領域と、高周波領域とで異なっている。
【００９１】
図１２は、光学フィルムＥ４の評価データを、光学フィルムＥ５の評価データで除した結果を示すグラフである。ある評価データを他の評価データで除するとは、同じ空間周波数に対する対応する評価データの比を算出することである。
【００９２】
図１２の横軸は、空間周波数を示し、縦軸は、光学フィルムＥ４の評価データと、光学フィルムＥ５の評価データの比を示している。比が１のときは、ある空間周波数に対する光学フィルムＥ４の評価データ値と、光学フィルムＥ５の評価データ値が同じであることを意味する。従って、比が１となる空間周波数である約４．５ｃｙｃｌｅ／ｄｅｇを境に、光学フィルムＥ４の表面処理特性の傾向と、光学フィルムＥ５の表面処理特性の傾向とが反転している。図１２中の破線は、光学フィルムＥ４の表面処理特性の傾向と、光学フィルムＥ５の表面処理特性の傾向が反転する位置を示している。
【００９３】
そこで、実験では、４．５ｃｙｃｌｅ／ｄｅｇを境として、各光学フィルムＥ２〜Ｅ５の防眩性をそれぞれ評価した。ただし、境界ラインとしての４．５ｃｙｃｌｅ／ｄｅｇは、特定の光学フィルムＥ４，Ｅ５に対する数値であるため、４．５ｃｙｃｌｅ／ｄｅｇの周辺、３ｃｙｃｌｅ／ｄｅｇ以上５ｃｙｃｌｅ／ｄｅｇ以下の領域は、評価対象から外した。そして、３ｃｙｃｌｅ／ｄｅｇ未満の空間周波数領域の防眩性（低周波領域の防眩性）を、空間周波数２．５ｃｙｃｌｅ／ｄｅｇ近傍の空間周波数に対する評価データ値の平均値を利用して表した。これは、図８における防眩性評価値Ｄ１で３ｃｙｃｌｅ／ｄｅｇ未満の空間周波数領域の防眩性（低周波領域の防眩性）を評価していることに対応する。５ｃｙｃｌｅ／ｄｅｇより大きい空間周波数領域の防眩性（高周波領域の防眩性）を、空間周波数９．５ｃｙｃｌｅ／ｄｅｇ近傍の空間周波数に対する評価データ値の平均値を利用して表した。これは、図８における防眩性評価値Ｄ２で５ｃｙｃｌｅ／ｄｅｇより大きい空間周波数領域の防眩性を評価していることに対応する。なお、評価データ値の平均の取り方は、光学フィルムＥ２〜Ｅ６の評価データ値に対して同じである。
【００９４】
図１３は、光学フィルムＥ２〜Ｅ６に対する反射特性を示す図面である。具体的には、光学フィルムＥ２〜Ｅ６においてＤＣ成分（空間周波数が０）の評価データ値を棒グラフで表したものである。図１３において、横軸は、各光学フィルムＥ２〜Ｅ６を示しており、図１３において左側の縦軸は、ＤＣ成分の評価データ値を示している。図１３における折れ線は、各光学フィルムＥ２〜Ｅ６の映り込み画像を目視した際の官能評価を示している。具体的には、図１３における折れ線グラフは、目視による明るさを示している。折れ線グラフで示される明るさは、図１３の右側の縦軸に示すように、図１３において上側が明るい。
【００９５】
図１４は、光学フィルムＥ２〜Ｅ６に対する防眩性を示すグラフである。図１４において、白抜きの棒グラフは、低周波領域の防眩性を示し、ハッチングが施された棒グラフは、高周波領域の防眩性を示している。図１４において、横軸は、各光学フィルムＥ２〜Ｅ６を示している。図１４の左側の縦軸は、防眩性評価値を示している。
【００９６】
図１４の破線及び一点鎖線で示した折れ線グラフは、各光学フィルムＥ２〜Ｅ６の映り込み画像を目視した際の官能評価を示している。具体的には、図１４の破線及び一点鎖線で示した折れ線グラフはボケの程度を示している。折れ線グラフで示されるボケの程度は、図１４の右側の縦軸に示すように、図１４において上側でボケが大きく、下側でボケが小さい。目視による低周波領域の防眩性、すなわち、低周波領域の防眩性は、図１５に示した領域Ａの目視に基づいており、図１４では、破線で示している。目視による高周波領域の防眩性、すなわち、高周波領域の防眩性は、図１５に示した領域Ｂの目視に基づいており、図１４では一点鎖線で示している。
【００９７】
図１３及び図１４から理解されるように、光学フィルムＥ２〜Ｅ６の評価データ値から得られる反射特性並びに低周波及び高周波領域の防眩性の数値は、目視結果と相関がある。そのため、図１に示した評価データ作成装置２０及びその装置を用いた評価データ作成方法で作成された評価データによって、表面処理フィルムとしての光学フィルム３１の特性を定量的に評価できる。
【００９８】
以上、本発明の種々の実施形態を説明したが、本発明は上記実施形態及び実験例に限定されるものではなく、発明の趣旨を逸脱しない範囲で種々の変更が可能である。
【００９９】
例えば、評価データ作成装置２０は、画像データ作成部２１Ａを備えている。しかしながら、画像データ作成部２１Ａで作成される画像データを、予め撮影可能な撮像装置で、映り込み画像を撮影した場合には、画像データ作成部２１Ａを備え無くてもよい。具体的には、光量に対して信号値が比例しており（図５の破線で示す特性を有する）且つ所望の明るさの範囲を一度に撮影できる撮像装置で、映込み画像を撮影した場合には、画像データ作成部２１Ａを備え無くてもよい。或いは、画像データ作成部２１Ａに対応する処理を、撮像装置側が備えている場合にも、画像データ作成部２１Ａを備えなくてよい。
【０１００】
更に前述したように、画像データ作成部２１Ａを備えている場合であっても、露出量を変えて映込み画像を複数回撮影していない場合には、画像データ作成部２１Ａは、工程２を実施しなくてもよい。或いは、所望の明るさの範囲を一度に撮影できる撮像装置で、映込み画像を撮影した場合には、工程２を実施しなくてもよい。
【０１０１】
画像データ作成部２１Ａが、工程１と工程２とを実施する場合、工程１と工程２の順番で行っている形態を説明したが、先に、複数の信号データを合成した後に、その合成されたデータを輝度データに変換してもよい。
【０１０２】
撮像装置が備える撮像素子の例はＣＭＯＳセンサーに限定されない。例えば、撮像素子としては、例えば、ＣＣＤが使用されてもよい。
【０１０３】
支持体として画像表示装置１１を例示したが、光学フィルム３０を支持できれば特に限定されない。画像表示装置１１を利用することで、光学フィルム３０が実際に使用される状況により近い状況で光学フィルム３０を評価できる。
【０１０４】
図２に示した評価データ作成方法では、参照用光学フィルム３２に映り込んだ画像に対しても、評価用光学フィルム３１に対する処理と同様に、処理用画像データを作成すると共に、２次元フーリエ変換をして参照用スペクトルを作成している。しかしながら、参照用スペクトルは、予め評価データ作成装置２０の記憶部などに記録しておけば、画像データ作成部２１Ａ及びフーリエ変換部２１Ｂは、参照用光学フィルム３２に対応するデータの処理を実施しなくてもよい、或いは、初回に一回だけ、実施すればよい。相対スペクトル分布作成部Ｓ２１Ｄは、記憶部に格納されている参照用スペクトルを読み出して利用すればよい。
【０１０５】
図９〜図１４で示した実験結果に基づく評価データの解析方法は一例であり、解析方法は、上記方法に限定されない。特に、低周波及び高周波の防眩性を分ける境界領域の特定方法等は、限定されない。
【符号の説明】
【０１０６】
１…評価データ作成システム、１１…画像表示装置（支持体）、１３…カメラ（撮像装置）、２０…評価データ作成装置、２１…データ受付部、２２…データ処理部２１Ａ…画像データ作成部、２２Ｂ…フーリエ変換部、２２Ｃ…相対スペクトル算出部、２２Ｄ…評価データ作成部、３０…光学フィルム、３１…評価用光学フィルム（第１の光学フィルム）、３２…参照用光学フィルム（第２の光学フィルム）
【図１】
2015049195.tif 000003
【図２】
2015049195.tif 000004
【図３】
2015049195.tif 000005
【図５】
2015049195.tif 000006
【図１２】
2015049195.tif 000007
【図１３】
2015049195.tif 000008
【図１４】
2015049195.tif 000009
【図４】
2015049195.tif 000010
【図６】
2015049195.tif 000011
【図７】
2015049195.tif 000012
【図８】
2015049195.tif 000013
【図９】
2015049195.tif 000014
【図１０】
2015049195.tif 000015
【図１１】
2015049195.tif 000016
【図１５】
2015049195.tif 000017